(57)【要約】      （修正有）【課題】取付金具を遊技島の遊技機と遊技機の間の空間にあらかじめ木ネジ等で取り付け、汚染空気吸引清掃装置を、この取付金具に前方から挿入することによって容易に取付る。更に、本取付金具に落下玉よけを目的とした遮蔽板を取付けることにより落下玉が汚染空気吸引清浄装置に直接激突し予期せぬ不具合が発生するのを回避する。【解決手段】汚染空気吸引清浄装置３を島前面から容易に交換できるようにするためこの字型の取り付け金具９を設け，更にその上部に遮蔽板１０を取り付けることで汚染空気吸引清浄装置筐体６に直接玉４をあてないようにすると共に、取り付け金具９Ｂの下部に落とし穴１１設け溜まった玉を遊技島の回収溝１３に落下させる。【選択図】図５
0003116817.tif 000002
【実用新案登録請求の範囲】
【請求項１】
パチンコ機等の遊技機の間に設置される汚染空気吸引清浄機において，本体の取り付け及び取り外しを容易にする為の取り付け金具であって，落下玉よけの遮蔽板を設けたことを特徴とする汚染空気吸引清浄機用取り付け金具。
【請求項２】
パチンコ機の遊技機の間に設置される汚染空気吸引清浄機において，本体の取り付け及び取り外しを容易にする為の取り付け金具であって，落下玉の落とし穴を設けたことを特徴とする汚染空気吸引清浄機用取り付け金具。
【考案の詳細な説明】
【技術分野】
【０００１】
本考案はパチンコホール等の遊技場（以後遊技場等と称する）内における遊技空間の空気環境を改善する汚染空気吸引清浄装置の取り付け金具に関するものである。
【背景技術】
【０００２】
遊戯場において遊技機は通常２０台が横に１列に配置され，更にそれらと背中合わせに同様に別の２０台が配置される。その裏表併せて４０台の遊技機の一群が業界用語で島と呼ばれている。スペースの都合で島の台数は変動することがある。この島の内部には，各遊技機の制御を目的とした電気配線と共にパチンコ玉を供給する搬送レールが設けてある。通常その搬送レールは片方の隅からある傾斜を持って設置される。また，コの字状である場合が多い。従って，玉の滑り摩擦や玉の供給量や何らかの原因で玉の供給スピードが変化すると玉詰まりが生じて玉がこぼれ落ちることがよくある。
【０００３】
この島において隣り合う遊技機と遊技機の間に汚染空気を吸引してその周辺の空気環境を改善する為の装置とシステムを特開２００２−１２５２９２で提案されている。その汚染空気吸引清浄装置の取り付けは，簡単な金具で各取り付け場所に木ねじで固定されていた。また，この装置を取り付ける位置で上述の玉の落下が頻発し，この玉の落下により汚染空気吸引清浄装置に頻繁に玉が衝突することが観察される。汚染空気吸引清浄装置はプラスチック製であるので強度的にはあまり強いとはいえない。
【特許文献１】特開２００２−１２５２９２
【考案の開示】
【考案が解決しようとする課題】
【０００４】
従来の汚染空気吸引清浄装置は，上下で簡単な金具にネジ止めするので交換等の作業性が良くない。また，筐体はプラスティック製であるので筐体の強度は強いものとはいえなかった。一方，島内部に設置されている玉供給レール１２で発生した落下玉により予期せぬ不具合を生じる。通常、島内部には玉を回収する為の玉回収溝１３があり、上記の玉詰まりによる落下玉４は，玉回収溝１３を通り、一箇所に集められる。しかし、図２に示すように落下玉４は島に取り付けられた遊技台１、台間サンド２、汚染空気吸引清浄機３に当たり、故障の原因になっている。とくに汚染空気吸引清浄機３は台間サンド２と遊技台１の間に設置されていることもあり、落下玉４の当たりやすい位置である。その為筐体に穴が開いたり，また、清掃時あるいは保守点検時に，これらの機器に留まった玉の回収に時間を要すると言う問題点がある。
【課題を解決するための手段】
【０００５】
課題解決するための手段は，図３に示すようなコの字型の取り付け金具を準備することでありし，その取り付け金具に落下玉よけのための遮蔽板を設けることである。さらに，該取り付け金具に落下玉の落とし穴を設けることである。
【考案の効果】
【０００６】
本考案における汚染空気吸引清浄装置用の取り付け金具は，遊技島の遊技機と遊技機の間の空間にあらかじめ木ねじ等で取り付けられる。汚染空気吸引清浄装置は，この取り付け金具に前方から挿入することによって容易に取り付けが可能となる。更に，本取り付け金具に落下玉よけを目的とした遮蔽板１０を取り付けることにより落下玉４が汚染空気吸引清浄装置に直接激突する減少を排除することができ，予期せぬ不具合を回避することができる。また，コの字型をした本取り付け金具下方に落下玉用の落とし穴１１を設けることによって落下玉４の回収も滞ることなく玉回収溝１３に戻すことが可能である。
【考案を実施するための最良の形態】
【０００７】
図５に示すようにコの字型の取り付け金具９Ａの上部に遮蔽板１０と下部に落とし穴１１を設けた本考案の取り付け金具９Ｂを島に取り付け、更に汚染空気吸引清浄装置を取り付ける。このことにより、玉搬送レール１２より落下するパチンコ玉４による機器破損が発生せず、清掃時あるいは保守点検時にこれらの機器に留まった玉の回収などへの時間を短縮できる。  
【実施例】
【０００８】
以下、本考案の実施例を図面と共に説明する。まず図１に島に設置された汚染空気吸引清浄装置の位置を示す。図２は図１の遊戯島の内部の様子を示し，汚染空気吸引清浄装置３の設置の様子と玉搬送レールの位置関係を示す。図２の示すように、玉搬送レールは汚染空気吸引清浄装置の斜め情報に位置し，玉詰まりが生じると玉が搬送レールからこぼれ落ち，その落下玉４が汚染空気吸引清浄装置筐体６の上部に衝突したり、電源コードや信号線のライン５に衝突することで予期せぬ不具合が生じていた。そのようになった場合に，図２に示すような取り付け方法では汚染空気清浄機の保守作業にかなりの手間が必要であった。そこで図３に示すコの字型の取り付け金具を設けることにより汚染空気吸引清浄装置の取り付け及び取り外しが隣接する遊技機等を取り外すことなく容易にできる。更に，上述の落下玉４の衝突を防止するために図４に示す遮蔽板１０を設けることにより落下玉４は遮蔽板に当たり、玉回収溝１３方向に落ちるため、直接汚染空気吸引清浄装置筐体６の上部にあたることを回避できる。取り付け金具に汚染空気清浄装置を挿入した様子は，図５に示す。ここで，この遮蔽板１０は耐久性を考慮するれば取り付け金具９Ａに直接溶接することが望ましい。しかし、上述の問題に対処のため後付する場合は、同様な形状の樹脂板・金属板等を接着剤等で貼り付けることで、その耐久性を除き同様の効果を得ることができる。
【０００９】
また、落下玉４が汚染空気吸引清浄装置筐体６に衝突しないまでも取り付け金具９Ａの下部に溜まることは大いに考えられる。取り付け金具９Ａの垂直部分は玉回収溝１３の上に位置するので，これらの玉を玉回収溝１３に戻すために図４、５に示すように取り付け金具９Ｂの下部に落とし穴１１を設ける。このことにより取り付け金具の下部に玉が溜まることも無くなり保守の手間が省略できる。
【産業上の利用可能性】
【００１０】
この考案は，遊戯場に汚染空気吸引清浄装置を適用する場合には，有効に適用でき効果を発揮することができる。
【図面の簡単な説明】
【００１１】
【図１】島に汚染空気吸引清浄装置を取り付けた様子。
【図２】汚染空気吸引清浄装置の設置の様子と玉搬送レールとの位置関係。
【図３】取り付け金具
【図４】取り付け金具に遮蔽板と落とし穴を設けた様子。
【図５】取り付け金具に汚染空気吸引清浄機を挿入した様子。
【符号の説明】
【００１２】
１…遊戯機
２…台間サンド（玉貸し器）
３…汚染空気吸引清浄装置
４…パチンコ玉（落下玉）
５…電源コードや信号線のライン
６…筐体
７…島枠（下部）
８…島枠（上部）
９Ａ…取り付け金具
９Ｂ…遮蔽板・落とし穴付き取り付け金具
１０…遮蔽板
１１…落とし穴
１２…玉搬送レール
１３…玉回収溝
【図１】
0003116817.tif 000003
【図２】
0003116817.tif 000004
【図３】
0003116817.tif 000005
【図４】
0003116817.tif 000006
【図５】
0003116817.tif 000007